(57)【要約】【課題】飲食店で提供されるメニューのような商品の推定寿命に関する情報を提供することが可能な商品寿命提供装置、商品寿命提供プログラム、及び商品寿命提供方法を提供すること。【解決手段】本発明に係る商品寿命提供装置は、商品情報提供サイトに登録された各店舗の商品の登録期間を示す登録履歴情報に基づいて当該商品の推定寿命を算出する寿命算出部と、前記寿命算出部により算出される前記推定寿命に関する寿命関連情報を提供する寿命情報提供部と、を備える。【選択図】図１
2018073358.tif 000002
【特許請求の範囲】
【請求項１】
商品情報提供サイトに登録された各店舗の商品の登録期間を示す登録履歴情報に基づいて当該商品の推定寿命を算出する寿命算出部と、
前記寿命算出部により算出される前記推定寿命に関する寿命関連情報を提供する寿命情報提供部と、
を備える商品寿命提供装置。
【請求項２】
前記推定寿命を算出するための算出条件を設定する算出条件設定部を更に備え、
前記寿命算出部は、前記算出条件設定部により設定される前記算出条件に基づいて抽出される前記登録履歴情報に基づいて前記商品の推定寿命を算出する、
請求項１に記載の商品寿命提供装置。
【請求項３】
前記算出条件設定部は、ユーザ操作に応じて、商品、価格、エリア、又は業態のいずれか一つ又は複数に関する条件を含む前記算出条件を設定する、
請求項２に記載の商品寿命提供装置。
【請求項４】
前記算出条件設定部は、前記店舗に対応付けて前記商品情報提供サイトに予め登録された情報に基づいて、商品、価格、エリア、又は業態のいずれか一つ又は複数に関する条件を含む前記算出条件を設定する、
請求項２又は３に記載の商品寿命提供装置。
【請求項５】
前記算出条件設定部は、ログイン中のユーザに関連付けられている店舗の前記情報に基づいて、前記算出条件の少なくとも一部を自動的に設定する、
請求項４に記載の商品寿命提供装置。
【請求項６】
前記算出条件設定部は、商品と価格とに関する条件を含む前記算出条件を設定することが可能であり、
前記寿命算出部は、前記価格で提供される前記商品の推定寿命を算出し、
前記寿命情報提供部は、前記寿命算出部により算出される推定寿命を前記寿命関連情報として提供する、
請求項２〜５のいずれかに記載の寿命情報提供装置。
【請求項７】
前記寿命情報提供部は、商品の属性情報と推定寿命との対応関係を示す情報を前記寿命関連情報として提供する、
請求項１〜６のいずれかに記載の寿命情報提供装置。
【請求項８】
前記属性情報が価格である、
請求項７に記載の寿命情報提供装置。
【請求項９】
前記寿命情報提供部は、前記算出条件設定部で設定された対象商品の前記寿命関連情報に加えて、当該対象商品に関連する関連商品の前記寿命関連情報を提供する、
請求項１〜８のいずれかに記載の寿命情報提供装置。
【請求項１０】
前記関連商品が、特定の属性情報が前記対象商品と一致又は類似する他の商品である、
請求項９に記載の寿命情報提供装置。
【請求項１１】
前記寿命情報提供部は、前記対象商品の前記寿命関連情報に加えて、前記対象商品よりも推定寿命の長い前記関連商品の前記寿命関連情報を提供する、
請求項９又は請求項１０に記載の寿命情報提供装置。
【請求項１２】
前記寿命算出部は、前記商品情報提供サイトに登録された各店舗の前記商品の登録期間の平均を、前記商品の推定寿命として算出する、
請求項１〜１１のいずれかに記載の寿命情報提供装置。
【請求項１３】
前記寿命算出部は、前記商品情報提供サイトに登録された各店舗の前記商品の価格及び登録期間を示す散布図から、前記商品の価格と推定寿命との対応関係を示す近似曲線を算出する、
請求項１〜１１のいずれかに記載の寿命情報提供装置。
【請求項１４】
商品情報提供サイトに登録された各店舗の商品の登録期間を示す登録履歴情報に基づいて当該商品の推定寿命を算出するステップと、
算出された前記推定寿命に関する寿命関連情報を提供するステップと、
をプロセッサに実行させるための商品寿命提供プログラム。
【請求項１５】
商品情報提供サイトに登録された各店舗の商品の登録期間を示す登録履歴情報に基づいて当該商品の推定寿命を算出し、
算出された前記推定寿命に関する寿命関連情報を提供する、
商品寿命提供方法。
【発明の詳細な説明】
【技術分野】
【０００１】
本発明は、ユーザ操作に応じて商品の推定寿命に関する情報を提供する商品寿命提供装置、商品寿命提供プログラム、及び商品寿命提供方法に関する。
【背景技術】
【０００２】
一般に、飲食店情報提供サイトには、全国各地の飲食店に関する情報（店名、写真、地図、電話番号など）が登録されている。また、前記飲食店情報提供サイトには、各飲食店で提供されているメニューに関する情報（メニュー名、価格、写真など）が登録されている。
【０００３】
飲食店の経営者は、パーソナルコンピュータ等から前記飲食店情報提供サイトのサーバ装置にアクセスして、自身の飲食店で提供されているメニューに関する情報を登録又は削除することができる（例えば、特許文献１参照）。
【先行技術文献】
【特許文献】
【０００４】
【特許文献１】特開２０１６−７１８７０号公報
【発明の概要】
【発明が解決しようとする課題】
【０００５】
ところで、前記飲食店情報提供サイトにおける或る飲食店の或るメニューの登録期間（前記飲食店情報提供サイトに当該メニューが登録されてから削除されるまでの期間）は、当該飲食店で当該メニューが提供されていた期間を示している。すなわち、前記登録期間は、当該飲食店での当該メニューの寿命を表している。このような情報は、例えば新メニューの提供を検討している他の飲食店の経営者にとって、大いに役立つ情報である。
【０００６】
本発明の目的は、飲食店で提供されるメニューのような商品の推定寿命に関する情報を提供することが可能な商品寿命提供装置、商品寿命提供プログラム、及び商品寿命提供方法を提供することにある。
【課題を解決するための手段】
【０００７】
本発明に係る商品寿命提供装置は、商品情報提供サイトに登録された各店舗の商品の登録期間を示す登録履歴情報に基づいて当該商品の推定寿命を算出する寿命算出部と、前記寿命算出部により算出される前記推定寿命に関する寿命関連情報を提供する寿命情報提供部と、を備える。
【０００８】
本発明に係る商品寿命提供プログラムは、商品情報提供サイトに登録された各店舗の商品の登録期間を示す登録履歴情報に基づいて当該商品の推定寿命を算出するステップと、算出された前記推定寿命に関する寿命関連情報を提供するステップと、をプロセッサに実行させるための商品寿命提供プログラムである。
【０００９】
本発明に係る及び商品寿命提供方法では、商品情報提供サイトに登録された各店舗の商品の登録期間を示す登録履歴情報に基づいて当該商品の推定寿命が算出される。算出された前記推定寿命に関する寿命関連情報が提供される。
【発明の効果】
【００１０】
本発明によれば、飲食店で提供されるメニューのような商品の推定寿命に関する情報を提供することが可能な商品寿命提供装置、商品寿命提供プログラム、及び商品寿命提供方法が提供される。
【図面の簡単な説明】
【００１１】
【図１】図１は、本発明の実施の形態に係る商品寿命提供システムの構成を示すブロック図である。
【図２】図２は、本発明の実施の形態に係る商品寿命提供システムで使用されるユーザ情報の一例を示す図である。
【図３】図３は、本発明の実施の形態に係る商品寿命提供システムで使用される店舗情報の一例を示す図である。
【図４】図４は、本発明の実施の形態に係る商品寿命提供システムで使用される商品登録履歴情報の一例を示す図である。
【図５】図５は、本発明の実施の形態に係る商品寿命提供システムで使用される寿命算出用データベースの一例を示す図である。
【図６】図６は、本発明の実施の形態に係る商品寿命提供装置で実行される商品寿命提供処理の一例を示すフローチャートである。
【図７】図７は、本発明の実施の形態に係る商品寿命提供システムにおいてユーザ端末に表示される算出条件設定ページの一例を示す図である。
【図８】図８は、本発明の実施の形態に係る商品寿命提供システムにおいてユーザ端末に表示される寿命情報表示ページの一例を示す図である。
【図９】図９は、本発明の実施の形態に係る商品寿命提供システムにおいてユーザ端末に表示される価格別寿命表示ページの一例を示す図である。
【図１０】図１０は、本発明の実施の形態に係る商品寿命提供システムにおいてユーザ端末に表示される価格別寿命表示ページの一例を示す図である。
【図１１】図１１は、本発明の実施の形態に係る商品寿命提供システムにおいてユーザ端末に表示される寿命情報表示ページの変形例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定する性格のものではない。
【００１３】
［商品寿命提供システム１］
図１に示すように、本発明の実施形態に係る商品寿命提供システム１は、商品寿命提供装置２と一又は複数のユーザ端末３とを含む。商品寿命提供装置２及びユーザ端末３は、インターネット、ＬＡＮ、ＷＡＮ、又は公衆電話回線などの通信網Ｎ１を介して通信可能である。
【００１４】
商品寿命提供装置２は、複数の店舗の各々で提供されている商品の情報を提供する商品情報提供サイトとしての機能を備えている。本実施形態では、前記店舗が飲食店であり、前記商品が飲食店で提供されるメニューであり、前記商品情報提供サイトが飲食店情報提供サイトである場合を例に挙げて説明する。
【００１５】
前記飲食店情報提供サイトには、全国各地の飲食店に関する情報（店名、写真、地図、電話番号など）が登録されている。また、前記飲食店情報提供サイトには、各飲食店で提供されているメニューに関する情報（メニュー名、価格、写真など）が登録されている。飲食店の経営者は、ユーザ端末３から商品寿命提供装置２にアクセスして、自身の飲食店で提供されているメニューに関する情報を登録又は削除することができる。
【００１６】
ところで、前記飲食店情報提供サイトにおける或る飲食店の或るメニューの登録期間（前記飲食店情報提供サイトに当該メニューが登録されてから削除されるまでの期間）は、当該飲食店で当該メニューが提供されていた期間を示している。すなわち、前記登録期間は、当該飲食店での当該メニューの寿命を表している。このような情報は、例えば新メニューの提供を検討している他の飲食店の経営者にとって、大いに役立つ情報である。しかしながら、飲食店の経営者がこのような情報を入手するには、前記飲食店情報提供サイトに他の飲食店のメニューが登録されてから削除されるまでの期間を監視する必要があり、飲食店の経営者にとって非常に困難である。これに対し、本実施形態に係る商品寿命提供システム１では、飲食店で提供されるメニューのような商品の推定寿命に関する情報を提供することが可能である。
【００１７】
［商品寿命提供装置２］
図１に示されるように、商品寿命提供装置２は、制御部２１、記憶部２２、操作表示部２３、及び通信Ｉ／Ｆ２４などを備えるサーバである。なお、商品寿命提供装置２は、１台のコンピュータに限らず、複数台のコンピュータが協働して動作するコンピュータシステムであってもよい。また、商品寿命提供装置２で実行される各種の処理は、一又は複数のプロセッサによって分散して実行されてもよい。
【００１８】
通信Ｉ／Ｆ２４は、商品寿命提供装置２を有線又は無線で通信網Ｎ１に接続し、通信網Ｎ１を介してユーザ端末３などの外部機器との間で所定の通信プロトコルに従ったデータ通信を実行するための通信インタフェースである。
【００１９】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザインタフェースである。
【００２０】
記憶部２２は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。具体的に、記憶部２２には、ユーザ情報Ｄ１、店舗情報Ｄ２、商品登録履歴情報Ｄ３、寿命算出用データベースＤ４などのデータが記憶される。ここに、図２はユーザ情報Ｄ１の一例を示す図、図３は店舗情報Ｄ２の一例を示す図である。また、図４は商品登録履歴情報Ｄ３の一例を示す図、図５は寿命算出用データベースＤ４の一例を示す図である。
【００２１】
図２に示されるように、ユーザ情報Ｄ１には、ユーザ端末３のユーザごとに対応するユーザＩＤ、パスワード、店舗ＩＤなどの情報が含まれる。ユーザＩＤはユーザを識別するための識別情報であって、ユーザＩＤ及びパスワードはユーザのログイン処理で使用される。店舗ＩＤは、ユーザが経営又は管理している飲食店を識別するための識別情報である。
【００２２】
図３に示されるように、店舗情報Ｄ２には、飲食店ごとに対応する店舗ＩＤ、エリア、業態、平均予算などの情報が含まれる。エリアは、飲食店の所在地を示し、業態は、飲食店で提供される料理ジャンルなどに基づく飲食店の分類である。平均予算は、例えば飲食店を利用するときに必要となる平均的な金額である。なお、店舗情報Ｄ２には、他に、利用目的、許容人数、クーポン使用可否、飲み放題有無、又は食べ放題有無などの情報が含まれていてもよい。店舗情報Ｄ２は、前記飲食店情報提供サイトにおいてユーザが任意の飲食店を探す際に実行される検索処理時に制御部２１により参照されることがある。
【００２３】
商品登録履歴情報Ｄ３は、前記飲食店情報提供サイトに登録されたニューに関する情報であって、例えば飲食店ごとに記憶される。図４は、店舗Ａに関する商品登録履歴情報Ｄ３を示している。図４に示されるように、商品登録履歴情報Ｄ３には、メニューごとに対応する商品ＩＤ、価格、登録日、削除日などの情報が含まれる。商品ＩＤは、メニューを識別するための識別情報であって、例えばメニュー名である。なお、同一のメニュー又は実質的に同一とみなされるメニューには、異なる店舗で提供されていても、同一の商品ＩＤが割り当てられる。例えば、店舗Ａで提供される「特製餃子」と店舗Ｂで提供される「ひとくち餃子」と店舗Ｃで提供される「水餃子」とに、同一の商品ＩＤである「餃子」が割り当てられる。なお、他の実施形態では、例えば餃子に対応する商品ＩＤとして、「焼き餃子」、「水餃子」、「揚げ餃子」のように細分化された商品ＩＤが用いられてもよい。価格は、メニューの価格を示している。登録日は、前記飲食店情報提供サイトにメニューが登録された日付を示し、削除日は、前記飲食店情報提供サイトからメニューが削除された日付を示す。商品登録履歴情報Ｄ３は、前記飲食店情報提供サイトにメニューが登録されたとき、及び前記飲食店情報提供サイトからメニューが削除されたときに、制御部２１により随時更新される。商品登録履歴情報Ｄ３は、本発明の「登録履歴情報」の一例である。
【００２４】
寿命算出用データベースＤ４は、メニューの推定寿命を算出するために用いられるデータの集合体である。寿命算出用データベースＤ４に含まれる各レコードは、例えば、店舗情報Ｄ２及び商品登録履歴情報Ｄ３に基づいて生成される。図５に示されるように、寿命算出用データベースＤ４には、店舗と商品の組み合わせごとに対応する店舗ＩＤ、商品ＩＤ、登録期間、価格、エリア、業態などが含まれる。登録期間は、前記飲食店情報提供サイトにメニューが登録されていた期間を示し、商品登録履歴情報Ｄ３における登録日から削除日までの期間に相当する。寿命算出用データベースＤ４には、メニューの属性情報として、価格、エリア、業態、平均予算、料理のジャンル、メイン食材などの情報が含まれている。前記属性情報は、メニューの推定寿命を算出する際の算出条件の一部として用いられる。寿命算出用データベースＤ４は、本発明の「登録履歴情報」の一例である。
【００２５】
なお、他の実施形態として、ユーザ情報Ｄ１、店舗情報Ｄ２、商品登録履歴情報Ｄ３、寿命算出用データベースＤ４などの情報の一部又は全部が、商品寿命提供装置２から通信網Ｎ１を介してアクセス可能な他のサーバに記憶されていることも考えられる。そして、商品寿命提供装置２の制御部２１は、前記サーバから各種の情報を取得して、後述の商品寿命提供処理（図６参照）などの各処理を実行してもよい。
【００２６】
また、記憶部２２には、前記飲食店情報提供サイトに登録されている飲食店及びメニューの情報を提供するための飲食店情報ページ（不図示）のデータ、前記飲食店情報提供サイトに登録されている飲食店及びメニューを検索するための検索ページ（不図示）のデータ、飲食店の経営者又は管理者が前記飲食店情報提供サイトにメニューを登録するための管理ページ（不図示）のデータなども記憶される。さらに、記憶部２２には、後述の算出条件設定ページＰ１１（図７参照）、寿命情報表示ページＰ１２（図８参照）、価格別寿命表示ページＰ１３，Ｐ１４（図９，図１０参照）などのデータも記憶される。
【００２７】
さらに、記憶部２２には、制御部２１に後述の商品寿命提供処理（図６参照）を実行させるための商品寿命提供プログラムなどの制御プログラムが記憶されている。例えば、前記商品寿命提供プログラムは、ＣＤ又はＤＶＤなどのコンピュータ読取可能な記録媒体に非一時的に記録されており、商品寿命提供装置２が備えるＣＤドライブ又はＤＶＤドライブなどの読取装置（不図示）で読み取られて記憶部２２に記憶される。
【００２８】
制御部２１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより商品寿命提供装置２を制御する。
【００２９】
具体的に、制御部２１は、図１に示されるように、商品登録処理部２１１、商品情報提供部２１２、算出条件設定部２１３、寿命算出部２１４、寿命情報提供部２１５などの各種の処理部を含む。なお、制御部２１は、前記ＣＰＵで前記商品寿命提供プログラムに従った各種の処理を実行することによって算出条件設定部２１３、寿命算出部２１４、及び寿命情報提供部２１５として機能する。また、制御部２１に含まれる一部又は全部の処理部が電子回路で構成されていてもよい。なお、前記商品寿命提供プログラムは、複数のプロセッサを前記各種の処理部として機能させるためのプログラムであってもよい。
【００３０】
商品登録処理部２１１は、ユーザ端末３から受信されるユーザＩＤ及びパスワードに基づいて、ユーザ情報Ｄ１を参照してユーザ認証を行う。そして、商品登録処理部２１１は、前記管理ページのデータをユーザ端末３に送信して、前記管理ページをユーザ端末３に表示させる。メニューが登録又は削除されると、商品登録処理部２１１は、商品登録履歴情報Ｄ３を更新する。
【００３１】
商品情報提供部２１２は、ユーザ端末３からの要求に応じて前記検索ページのデータをユーザ端末３に送信して、前記検索ページをユーザ端末３に表示させる。そして、商品情報提供部２１２は、ユーザ端末３から受信される検索条件に基づいて、前記検索条件に対応する前記飲食店情報ページのデータをユーザ端末３に送信して、前記飲食店情報ページをユーザ端末３に表示させる。
【００３２】
算出条件設定部２１３は、メニューの推定寿命を算出するための算出条件を設定する。例えば、算出条件設定部２１３は、ユーザ端末３からの要求に応じて、算出条件設定ページＰ１１のデータをユーザ端末３に送信して、算出条件設定ページＰ１１をユーザ端末３に表示させる。そして、算出条件設定部２１３は、ユーザ端末３におけるユーザ（例えば、飲食店の経営者）の操作に応じて前記算出条件を設定する。なお、算出条件設定ページＰ１１には、例えば前記管理ページ（不図示）から遷移することができる。
【００３３】
算出条件設定部２１３は、例えば、メニュー、価格、エリア、又は業態のいずれか１つ又は複数に関する条件を含む前記算出条件を設定することが可能である。
【００３４】
なお、算出条件設定部２１３は、各店舗に対応付けて前記飲食店情報提供サイトに予め登録された情報（例えば、メニュー、価格、エリア、業態）に基づいて、メニュー、価格、エリア、又は業態のいずれか一つ又は複数に関する条件を含む前記算出条件を設定してもよい。例えば、店舗Ａの経営者であるユーザＡがログイン中である場合、算出条件設定部２１３は、ユーザＡに関連付けられて前記飲食店情報提供サイトに予め登録されている店舗Ａの情報（エリア又は業態など）に基づいて、前記算出条件の少なくとも一部を自動的に設定してもよい。具体的には、算出条件設定部２１３は、店舗情報Ｄ２に基づいて、店舗Ａと同一のエリア（東京）及び業態（居酒屋）を前記算出条件として自動的に設定してもよい。もしくは、算出条件設定部２１３は、商品登録履歴情報Ｄ３に基づいて、店舗Ａで提供されているメニュー及び当該メニューの価格を前記算出条件として自動的に設定してもよい。
【００３５】
なお、以下では、前記算出条件において推定寿命の算出対象として設定されるメニューのことを「対象メニュー」と称する。
【００３６】
寿命算出部２１４は、前記飲食店情報提供サイトに登録された各飲食店のメニューの登録期間を示す情報（例えば、商品登録履歴情報Ｄ３又は寿命算出用データベースＤ４）に基づいて、前記対象メニューの推定寿命を算出する。例えば、寿命算出部２１４は、前記飲食店情報提供サイトにおける各飲食店のメニューの登録期間を示す情報から、算出条件設定部２１３により設定される前記算出条件に該当する情報を抽出し、当該抽出された情報に基づいて、前記対象メニューの推定寿命を算出する。具体的には、寿命算出部２１４は、寿命算出用データベースＤ４に含まれている全レコードの中から、算出条件設定部２１３により設定された前記算出条件に合致するレコードを抽出し、当該抽出されたレコードにおける登録期間のデータに基づいて、前記対象メニューの推定寿命を算出する。
【００３７】
具体的には、寿命算出部２１４は、前記飲食店報提供サイトに登録された各店舗の前記対象メニューの登録期間の平均を、前記対象メニューの推定寿命として算出する。例えば、前記算出条件が、「餃子」のみであれば、寿命算出部２１４は、寿命算出用データベースＤ４から、商品ＩＤが「餃子」のレコードを抽出し、抽出されたレコードにおける登録期間の平均を推定寿命として算出する。また、例えば、前記算出条件が、「餃子」、「東京」、「居酒屋」であれば、寿命算出部２１４は、寿命算出用データベースＤ４から、商品ＩＤが「餃子」であり、エリアが「東京」であり、且つ業態が「居酒屋」であるレコードを抽出し、抽出されたレコードにおける登録期間の平均を推定寿命として算出する。
【００３８】
なお、メニューと価格とに関する条件を含む前記算出条件が設定されている場合には、寿命算出部２１４は、前記価格で提供される前記メニューの推定寿命を算出する。例えば、前記算出条件が、「餃子」、「３２０円」であれば、寿命算出部２１４は、寿命算出用データベースＤ４から、商品ＩＤが「餃子」であり、且つ価格が「３２０円」であるレコードを抽出し、抽出されたレコードに基づいて推定寿命を算出する。また、例えば、前記算出条件が、「餃子」、「３００円〜４００円」であれば、寿命算出部２１４は、寿命算出用データベースＤ４から、商品ＩＤが「餃子」であり、且つ価格が「３００円」〜「４００円」の範囲内であるレコードを抽出し、抽出されたレコードに基づいて推定寿命を算出する。ここで、価格の範囲「３００円」〜「４００円」の幅は、予め設定された一定の幅（例えば１００円の幅）であってもよい。もしくは、メニューの価格の分布状況に応じて前記幅が自動設定されてもよい。例えば、登録されているレコード数が多い価格帯では、前記幅が狭い幅に設定され、登録されているレコード数が少ない価格帯では、前記幅が広い幅に設定されてもよい。
【００３９】
なお、他の実施形態では、寿命算出部２１４は、前記商品情報提供サイトに登録された各店舗の前記対象メニューの価格及び登録期間を示す散布図（図１０参照）から、前記対象メニューの価格と推定寿命との対応関係を示す近似曲線Ｃ１１（図１０参照）を算出してもよい。近似曲線Ｃ１１は、価格別の前記対象メニューの推定寿命を示している。
【００４０】
さらに他の実施形態では、寿命算出部２１４は、価格を含む前記算出条件が設定されている場合に、寿命算出用データベースＤ４における前記価格に合致するレコードの個数によって前記対象メニューの推定寿命の算出方法を切り替えてもよい。例えば、寿命算出部２１４は、寿命算出用データベースＤ４における前記価格に合致するレコードの個数が所定の閾値以上である場合に、当該レコードにおける登録期間の平均を前記対象メニューの推定寿命として算出してもよい。そして、寿命算出部２１４は、寿命算出用データベースＤ４における前記価格に合致するレコードの個数が前記所定の閾値未満である場合に、当該レコードにおける価格及び登録期間を示す散布図から近似曲線Ｃ１１を算出し、当該近似曲線Ｃ１１に基づいて前記対象メニューの推定寿命を算出してもよい。
【００４１】
寿命情報提供部２１５は、寿命算出部２１４により算出される推定寿命に関する寿命関連情報を提供する。例えば、寿命情報提供部２１５は、図８に示される寿命情報表示ページＰ１２のように、寿命算出部２１４により算出される推定寿命を前記寿命関連情報としてユーザ端末３に送信して、当該寿命関連情報をユーザ端末３に表示させてもよい。もしくは、寿命情報提供部２１５は、図９及び図１０に示される価格別寿命表示ページＰ１３，Ｐ１４のように、メニューの属性情報（価格、エリア、業態など）と推定寿命との対応関係を示す情報（例えば、表又はグラフ）を前記寿命関連情報としてユーザ端末３に送信して、当該寿命情報をユーザ端末３に表示させてもよい。もしくは、寿命情報提供部２１５は、或る店舗で現在提供中のメニューが、あと何日で推定寿命を迎えるかを前記寿命関連情報として提供してもよい。さらには、寿命情報提供部２１５は、或る店舗で現在提供中のメニューがもう少しで推定寿命を迎える旨のメッセージを前記寿命関連情報として提供してもよい。
【００４２】
また、寿命情報提供部２１５は、前記対象メニューの前記寿命関連情報に加えて、当該対象メニューに関連する他のメニュー（以下、「関連メニュー」と称する）の前記寿命関連情報を提供してもよい。前記関連メニューは、例えば、特定の属性情報（価格、業態、料理のジャンル、メイン食材など）が前記対象メニューと一致又は類似する他のメニューであってもよい。もしくは、寿命情報提供部２１５は、前記対象メニューと前記関連メニューとの対応関係を示すテーブル（不図示）等の情報を参照して、前記対象メニューに関連する前記関連メニューを判断してもよい。なお、寿命情報提供部２１５は、前記関連メニューの前記寿命関連情報を提供する場合に、図８に示される寿命情報表示ページＰ１２のように、前記対象メニューよりも推定寿命の長い前記関連メニューの前記寿命関連情報を提供してもよい。
【００４３】
［ユーザ端末３］
図１に示されるように、ユーザ端末３は、制御部３１、記憶部３２、操作表示部３３、及び通信Ｉ／Ｆ３４などを備える。ユーザ端末３は、例えば携帯電話、スマートフォン、タブレット端末、又はパーソナルコンピュータのような情報処理装置である。
【００４４】
具体的に、飲食店の経営者又は管理者は、ユーザ端末３に表示された所定のログインページにおいてユーザＩＤ及びパスワードを入力することにより商品寿命提供装置２にログインする。これにより、商品寿命提供装置２の制御部２１は、ログイン中のユーザを識別することが可能である。
【００４５】
通信Ｉ／Ｆ３４は、ユーザ端末３を有線又は無線で通信網Ｎ１に接続し、通信網Ｎ１を介して商品寿命提供装置２などの外部機器との間で所定の通信プロトコルに従ったデータ通信を実行するための通信インタフェースである。
【００４６】
操作表示部３３は、各種のウェブページなどの情報を表示する液晶ディスプレイ又は有機ＥＬディスプレイのような表示部と、操作を受け付けるマウス、キーボード、又はタッチパネルなどの操作部とを備えるユーザインタフェースである。
【００４７】
記憶部３２は、各種の情報を記憶するＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）又はフラッシュメモリーなどの不揮発性の記憶部である。例えば、記憶部３２には、ブラウザプログラム等の制御プログラムが記憶される。具体的に、前記ブラウザプログラムは、ＨＴＴＰ（Ｈｙｐｅｒｔｅｘｔ  Ｔｒａｎｓｆｅｒ  Ｐｒｏｔｏｃｏｌ）等の通信プロトコルに従って商品寿命提供装置２等の外部装置との間で通信処理を制御部３１に実行させるための制御プログラムである。
【００４８】
制御部３１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することによりユーザ端末３を制御する。
【００４９】
具体的に、制御部３１は、記憶部３２に記憶されている前記ブラウザプログラムに従って各種の処理を実行することによりブラウザ処理部３１１として機能する。ブラウザ処理部３１１は、商品寿命提供装置２から通信網Ｎ１を介して提供されるウェブページを操作表示部３３に表示させ、操作表示部３３に対する操作を商品寿命提供装置２に入力するブラウザ処理を実行することが可能である。なお、制御部３１に含まれる一部又は全部の処理部は電子回路で構成されていてもよい。
【００５０】
［商品寿命提供処理］
以下、図６を参照しつつ、商品寿命提供装置２の制御部２１によって実行される商品寿命提供処理について説明する。なお、制御部２１は、ユーザ端末３からのアクセスが発生した場合に、ユーザ端末３ごとに対応する当該商品寿命提供処理を個別に実行する。即ち、制御部２１は、複数のユーザ端末３に対応する前記商品寿命提供処理を時分割によって略並行して実行することがある。また、当該商品寿命提供処理は、ユーザ端末３の所定の操作によって途中で終了されることがある。
【００５１】
また、本発明は、当該商品寿命提供処理に含まれる一又は複数のステップを実行する商品寿命提供方法の発明として捉えることができ、ここで説明する当該商品寿命提供処理に含まれる一又は複数のステップが適宜省略されてもよい。なお、前記商品寿命提供処理における各ステップは同様の作用効果を生じる範囲で実行順序が異なってもよい。さらに、ここでは制御部２１によって当該商品寿命提供処理における各ステップが実行される場合を例に挙げて説明するが、複数のプロセッサによって当該商品寿命提供処理における各ステップが分散して実行される商品寿命提供方法も他の実施形態として考えられる。
【００５２】
＜ステップＳ１＞
ステップＳ１において、制御部２１は、ユーザ端末３からの要求に従って算出条件設定ページＰ１１をユーザ端末３に表示させる。また、制御部２１は、対象メニュー、価格、エリア、業態などを含む算出条件の設定操作をユーザ端末３から受け付ける。ここに、図７は、算出条件設定ページＰ１１の一例を示す図である。図７に示されるように、算出条件設定ページＰ１１では、推定寿命を算出するための算出条件として、対象メニュー、価格、エリア、業態などの条件が表示される。なお、初期状態では、例えば、対象メニューは空白（未選択状態）となり、価格、エリア及び業態は「全て」となる。なお、制御部２１は、ログイン中のユーザに応じて、前記算出条件の一部の条件を自動的に設定してもよい。この場合、初期状態では、例えば、ログイン中のユーザが経営又は運営する飲食店と同じエリア及び業態が自動的に設定される。
【００５３】
算出条件設定ページＰ１１には、対象メニューを選択するための選択キーＫ１１と、価格、エリア及び業態の各々の条件を変更するための変更キーＫ１２〜Ｋ１４と、条件項目を追加するための追加キーＫ１５と、推定寿命を表示させるための表示キーＫ１６とが含まれている。
【００５４】
ユーザ端末３により選択キーＫ１１が操作されると、制御部２１は、例えば、寿命算出用データベースＤ４に登録されている商品ＩＤ（メニュー）の一覧をユーザ端末３に表示させて、当該一覧から任意の商品ＩＤをユーザに選択させる。
【００５５】
ユーザ端末３により変更キーＫ１２が操作されると、制御部２１は、例えば、価格又は価格帯を入力するための入力欄をユーザ端末３に表示させて、任意の価格又は価格帯をユーザに入力させる。ユーザ端末３により変更キーＫ１３が操作されると、制御部２１は、例えば、予め定められたエリアの一覧をユーザ端末３に表示させて、当該一覧から任意の１つ又は複数のエリアをユーザに選択させる。ユーザ端末３により変更キーＫ１４が操作されると、制御部２１は、例えば、予め定められた業態の一覧をユーザ端末３に表示させて、当該一覧から任意の１つ又は複数の業態をユーザに選択させる。
【００５６】
ユーザ端末３により追加キーＫ１５が操作されると、制御部２１は、例えば、寿命算出用データベースＤ４に含まれている他の属性情報（例えば、平均予算、店舗規模、営業時間帯など）の一覧をユーザ端末３に表示させて、当該一覧から任意の属性情報をユーザに選択させる。そして、制御部２１は、選択された属性情報を新たな条件項目として、対応する変更ボタンとともに算出条件設定ページＰ１１に表示する。
【００５７】
＜ステップＳ２＞
ステップＳ２において、制御部２１（算出条件設定部２１３）は、算出条件設定ページＰ１１に対するユーザ操作に応じて、推定寿命を算出する際の算出条件を設定する。例えば、図７に示される算出条件設定ページＰ１１の状態で、ユーザ端末３により表示キーＫ１６が操作されると、制御部２１は、「餃子」、「３２０円」、「居酒屋」を前記算出条件として設定する。
【００５８】
＜ステップＳ３＞
ステップＳ３において、制御部２１（寿命算出部２１４）は、寿命算出用データベースＤ４に含まれている全レコードの中から、前記ステップＳ２で設定された前記算出条件に合致するレコードを抽出する。例えば、前記算出条件が「餃子」、「３２０円」、「居酒屋」である場合には、寿命算出用データベースＤ４に含まれている全レコードの中から、商品ＩＤが「餃子」であり、価格が「３２０円」であり、且つ業態が「居酒屋」であるレコードを抽出する。
【００５９】
＜ステップＳ４＞
ステップＳ４において、制御部２１（寿命算出部２１４）は、前記ステップＳ３で抽出されたレコードにおける登録期間のデータに基づいて、前記対象メニューの推定寿命を算出する。例えば、制御部２１は、前記ステップＳ３で抽出されたレコードにおける登録期間の平均を、前記対象メニューの推定寿命として算出する。
【００６０】
ところで、例えば、「２９１円」のような価格条件が設定された場合には、前記算出条件に該当するレコード数が少なく、それらのレコードにおける登録期間の平均が、前記対象メニューの推定寿命として不適であるおそれがある。そこで、他の実施形態では、制御部２１は、前記価格条件が示す価格を含む所定の価格帯（例えば、「２９１円」を中心とした「２８６円〜２９６円」の価格帯）に対応するレコードを抽出するようにしてもよい。さらに他の実施形態では、制御部２１は、前記ステップＳ３で抽出されたレコードにおける価格及び登録期間を示す散布図（図１０参照）から近似曲線Ｃ１１を算出し、当該近似曲線Ｃ１１により前記対象メニューの推定寿命を算出してもよい。なお、図１０に示される散布図における各ドットは、前記ステップＳ３で抽出される各レコードに対応している。このように、近似曲線Ｃ１１を用いて推定寿命を算出すれば、設定された価格条件によらず全体的な傾向に基づいて前記対象メニューの推定寿命を算出することができるので、前記算出条件に該当するレコード数が少ない場合でも、より適切に前記対象メニューの推定寿命を算出することができる。
【００６１】
＜ステップＳ５＞
ステップＳ５において、制御部２１（寿命情報提供部２１５）は、前記ステップＳ４で算出された推定寿命に基づいて、前記対象メニューの推定寿命に関する寿命関連情報を提供する。具体的には、制御部２１は、図８に示されるように、前記対象メニューの推定寿命が表示される寿命情報表示ページＰ１２をユーザ端末３に表示させる。
【００６２】
なお、図８に示されるように、寿命情報表示ページＰ１２では、前記対象メニューの推定寿命が表示されると共に、前記対象メニューよりも推定寿命が長い他のメニュー（関連メニュー）の推定寿命も表示されてもよい。この場合、制御部２１は、前記対象メニューと同様に、前記関連メニューについても前記ステップＳ３及び前記ステップＳ４の処理を実行して、当該関連メニューの推定寿命を算出する。例えば、図７に示される算出条件が設定された場合、制御部２１は、「居酒屋」で「３２０円」前後で提供される「餃子」以外のメニュー（例えば、「揚げ出し豆腐」、「だし巻き」、「小籠包」など）を前記関連メニューとして決定し、当該関連メニューの各々の推定寿命を算出し、「餃子」よりも推定寿命の長い関連メニューを寿命情報表示ページＰ１２に表示してもよい。
【００６３】
図８に示される寿命情報表示ページＰ１２には、前記対象メニューの価格別の推定寿命を表示するための表示キーＫ１７が含まれる。ユーザ端末３により表示キーＫ１７が操作されると、制御部２１は、例えば、図９に示される価格別寿命表示ページＰ１３をユーザ端末３に表示させる。価格別寿命表示ページＰ１３には、前記対象メニューの予め定められた価格帯ごとの推定寿命が表示される。例えば、「１００円〜１５０円」の価格帯の推定寿命は、寿命算出用データベースＤ４から、商品ＩＤが「餃子」であり、価格が「１００円」〜「１５０円」のいずれかであり、且つ業態が「居酒屋」であるレコードにおける登録期間の平均として算出される。
【００６４】
他の実施形態では、ユーザ端末３により表示キーＫ１７が操作されると、制御部２１は、図１０に示される価格別寿命表示ページＰ１４をユーザ端末３に表示させてもよい。価格別寿命表示ページＰ１４には、前記対象メニューの予め定められた価格別の推定寿命を示す近似曲線Ｃ１１を含む散布図が表示される。当該散布図における各ドットは、寿命算出用データベースＤ４に含まれている、商品ＩＤが「餃子」であり、且つ業態が「居酒屋」である各レコードに対応する。前記レコードにおける価格が前記散布図の横軸に対応し、前記レコードにおける登録期間が前記散布図の縦軸に対応する。近似曲線Ｃ１１は、例えば最小二乗法により算出される。
【００６５】
以上説明したように、本実施形態では、商品寿命提供装置２により前記対象メニューの推定寿命に関する情報が提供される。よって、本実施形態によれば、例えば新メニューの提供を検討している飲食店の経営者等が、任意のメニューの推定寿命に関する情報を容易に入手することができる。また、前記経営者等は、前記飲食店情報提供サイトに他の飲食店のメニューが登録されてから削除されるまでの期間を監視する必要がないので、当該監視のための前記飲食店情報提供サイトへのアクセスによるネットワークトラフィックの増加を抑制することができる。
【００６６】
また、本実施形態では、商品登録履歴情報Ｄ３における登録日及び削除日のデータに基づいて、前記対象メニューの推定寿命を算出することが可能である。よって、前記飲食店情報提供サイトに登録された各メニューの寿命を示すデータ（例えば、寿命算出用データベースＤ４における登録期間のデータ）を人手により準備及び更新する必要がなく、商品寿命提供装置２の管理者の作業負担を軽減することができる。
【００６７】
また、本実施形態では、前記対象メニューの寿命関連情報に加えて、当該対象メニューに関連する他のメニューの寿命関連情報も提供することが可能である。よって、例えば新メニューの提供を検討している飲食店の経営者等に、より推定寿命の長い他のメニューを提案することが可能である。これにより、前記経営者等は、必要に応じて、前記対象メニューよりも推定寿命が長い他のメニューを、前記対象メニューの代わりに新メニューとして採用することができる。
【００６８】
また、本実施形態では、例えば、価格別寿命表示ページＰ１３，Ｐ１４のように、前記対象メニューの価格と推定寿命との対応関係を示す表又はグラフなどの情報を提供することが可能である。よって、飲食店の経営者等のユーザは、当該情報を参考にして、自身の飲食店で提供される前記対象メニューの価格を決定することができる。
【００６９】
また、本実施形態では、前記対象メニューの推定寿命を算出する際の算出条件として、価格、エリア、業態などの任意の属性情報に関する条件を設定することが可能である。よって、価格帯、エリア、業態などの条件によって前記対象メニューの推定寿命が変わる場合でも、より精度の高い寿命関連情報を提供することができる。
【００７０】
［変形例］
なお、本実施形態では、図７に示される算出条件設定ページＰ１１の表示キーＫ１６が操作された時点で推定寿命の算出処理が開始されるが、本発明はこれに限定されない。他の実施形態では、寿命算出部２１４が、予め定められた複数の算出条件ごと（例えば、メニューごと、もしくはメニューと価格との組み合わせごと、など）に前記推定寿命を例えば定期的に算出して、当該算出された推定寿命を前記算出条件と対応付けて記憶部２２等に推定寿命情報として記憶してもよい。そして、図７に示される算出条件設定ページＰ１１の表示キーＫ１６が操作された時点で、寿命情報提供部２１５が、設定された算出条件に対応する推定寿命を前記推定寿命情報から取得して寿命関連情報として提供してもよい。
【００７１】
また、本実施形態では、前記算出条件にメニューが含まれる場合について説明したが、本発明はこれに限定されない。他の実施形態では、前記算出条件にメニューが含まれなくてもよい。例えば、前記算出条件が、「３２０円」、「東京」、「居酒屋」である場合、寿命算出部２１４は、寿命算出用データベースＤ４に含まれている全レコードの中から当該算出条件に合致するレコードを抽出し、当該算出条件に合致するメニューの推定寿命を算出してもよい。そして、寿命情報提供部２１５は、算出された推定寿命を、「３２０円」、「東京」、「居酒屋」の算出条件に合致するメニューの推定寿命として提供してもよい。もしくは、前記算出条件が、「３２０円」、「東京」、「居酒屋」である場合、寿命算出部２１４は、寿命算出用データベースＤ４に含まれている全レコードの中から当該算出条件に合致するレコードを抽出し、抽出されたレコードに基づいて、メニューごとの推定寿命を算出してもよい。そして、寿命情報提供部２１５は、算出されたメニューごとの推定寿命を前記寿命関連情報として提供してもよい。この場合、例えば、図１１に示される寿命情報表示ページＰ１２のように、推定寿命が長いものから順番にメニューごとの推定寿命が表示されてもよい。もしくは、推定寿命が最も長いメニューの推定寿命のみが表示されてもよい。
【００７２】
また、本実施形態では、飲食店で提供されるメニューの推定寿命に関する寿命関連情報が提供されるが、本発明はこれに限らない。他の実施形態では、例えば、複数の店舗の商品を扱う通信販売サイトにおける各店舗の各商品の登録期間に基づいて、各商品の推定寿命に関する寿命関連情報が提供されてもよい。
【００７３】
また、本実施形態では、商品寿命提供装置２が、前記商品情報提供サイトとしての機能を備えているが、本発明はこれに限定されない。他の実施形態では、例えば、前記商品情報提供サイトとしての機能を備えるサーバ（商品情報提供装置）が、商品寿命提供装置２とは独立して設けられてもよい。この場合、例えば、ユーザ情報Ｄ１、店舗情報Ｄ２及び商品登録履歴情報Ｄ３が、前記サーバに記憶されてもよい。そして、商品寿命提供装置２が、必要に応じて前記サーバにアクセスして、ユーザ情報Ｄ１、店舗情報Ｄ２及び商品登録履歴情報Ｄ３を参照してもよい。
【００７４】
また、本実施形態では、店舗情報Ｄ２及び商品登録履歴情報Ｄ３に基づいて生成された寿命算出用データベースＤ４を用いて前記対象メニューの推定寿命が算出されるが、本発明はこれに限定されない。他の実施形態では、寿命算出用データベースＤ４が生成されずに、店舗情報Ｄ２及び商品登録履歴情報Ｄ３に基づいて前記対象メニューの推定寿命が算出されてもよい。
【００７５】
また、本実施形態において、飲食店で提供されるメニューの推定寿命の算出に、四季等の季節情報を使用してもよい。具体的には、メニューの提供される時期に応じたメニューの推定寿命を算出用データベースＤ４に記憶し、対象メニューの提供時期に関する情報を、推定寿命を算出する際の算出条件として設定してもよい。この場合、例えば、前記対象メニューが鍋類である場合に、提供時期の算出条件を「冬」に指定すると、冬に提供された鍋類の推定寿命が算出され、提供時期の算出条件を「夏」に指定すると、夏に提供された鍋類の推定寿命が算出される。一般に、鍋類は夏よりも冬に好まれる傾向があるため、夏よりも冬の方が寿命が長くなる傾向があるが、提供時期を考慮して推定寿命を算出することにより、鍋類のように季節性のあるメニューの推定寿命を、より適切に算出することが可能である。
【００７６】
［発明の付記］
以下、上述の実施形態から抽出される発明の概要について付記する。なお、以下の付記で説明する各構成及び各処理機能は取捨選択して任意に組み合わせることが可能である。
【００７７】
＜付記１＞
商品情報提供サイトに登録された各店舗の商品の登録期間を示す登録履歴情報に基づいて当該商品の推定寿命を算出する寿命算出部と、
前記寿命算出部により算出される前記推定寿命に関する寿命関連情報を提供する寿命情報提供部と、
を備える商品寿命提供装置。
【００７８】
＜付記２＞
前記推定寿命を算出するための算出条件を設定する算出条件設定部を更に備え、
前記寿命算出部は、前記算出条件設定部により設定される前記算出条件に基づいて抽出される前記登録履歴情報に基づいて前記商品の推定寿命を算出する、
付記１に記載の商品寿命提供装置。
【００７９】
＜付記３＞
前記算出条件設定部は、ユーザ操作に応じて、商品、価格、エリア、又は業態のいずれか一つ又は複数に関する条件を含む前記算出条件を設定する、
付記２に記載の商品寿命提供装置。
【００８０】
＜付記４＞
前記算出条件設定部は、前記店舗に対応付けて前記商品情報提供サイトに予め登録された情報に基づいて、商品、価格、エリア、又は業態のいずれか一つ又は複数に関する条件を含む前記算出条件を設定する、
付記２又は３に記載の商品寿命提供装置。
【００８１】
＜付記５＞
前記算出条件設定部は、ログイン中のユーザに関連付けられている店舗の前記情報に基づいて、前記算出条件の少なくとも一部を自動的に設定する、
付記４に記載の商品寿命提供装置。
【００８２】
＜付記６＞
前記算出条件設定部は、商品と価格とに関する条件を含む前記算出条件を設定することが可能であり、
前記寿命算出部は、前記価格で提供される前記商品の推定寿命を算出し、
前記寿命情報提供部は、前記寿命算出部により算出される推定寿命を前記寿命関連情報として提供する、
付記２〜５のいずれかに記載の寿命情報提供装置。
【００８３】
＜付記７＞
前記寿命情報提供部は、商品の属性情報と推定寿命との対応関係を示す情報を前記寿命関連情報として提供する、
付記１〜６のいずれかに記載の寿命情報提供装置。
【００８４】
＜付記８＞
前記属性情報が価格である、
付記７に記載の寿命情報提供装置。
【００８５】
＜付記９＞
前記寿命情報提供部は、前記算出条件設定部で設定された対象商品の前記寿命関連情報に加えて、当該対象商品に関連する関連商品の前記寿命関連情報を提供する、
付記１〜８のいずれかに記載の寿命情報提供装置。
【００８６】
＜付記１０＞
前記関連商品が、特定の属性情報が前記対象商品と一致又は類似する他の商品である、
付記９に記載の寿命情報提供装置。
【００８７】
＜付記１１＞
前記寿命情報提供部は、前記対象商品の前記寿命関連情報に加えて、前記対象商品よりも推定寿命の長い前記関連商品の前記寿命関連情報を提供する、
付記９又は付記１０に記載の寿命情報提供装置。
【００８８】
＜付記１２＞
前記寿命算出部は、前記商品情報提供サイトに登録された各店舗の前記商品の登録期間の平均を、前記商品の推定寿命として算出する、
付記１〜１１のいずれかに記載の寿命情報提供装置。
【００８９】
＜付記１３＞
前記寿命算出部は、前記商品情報提供サイトに登録された各店舗の前記商品の価格及び登録期間を示す散布図から、前記商品の価格と推定寿命との対応関係を示す近似曲線を算出する、
付記１〜１１のいずれかに記載の寿命情報提供装置。
【００９０】
＜付記１４＞
商品情報提供サイトに登録された各店舗の商品の登録期間を示す登録履歴情報に基づいて当該商品の推定寿命を算出するステップと、
算出された前記推定寿命に関する寿命関連情報を提供するステップと、
をプロセッサに実行させるための商品寿命提供プログラム。
【００９１】
＜付記１５＞
商品情報提供サイトに登録された各店舗の商品の登録期間を示す登録履歴情報に基づいて当該商品の推定寿命を算出し、
算出された前記推定寿命に関する寿命関連情報を提供する、
商品寿命提供方法。
【符号の説明】
【００９２】
１      商品寿命提供システム
２      商品寿命提供装置
２１    制御部
２１１  商品登録処理部
２１２  商品情報提供部
２１３  算出条件設定部
２１４  寿命算出部
２１５  寿命情報提供部
３      ユーザ端末
３１    制御部
３１１  ブラウザ処理部
【図１】
2018073358.tif 000003
【図２】
2018073358.tif 000004
【図３】
2018073358.tif 000005
【図４】
2018073358.tif 000006
【図５】
2018073358.tif 000007
【図６】
2018073358.tif 000008
【図７】
2018073358.tif 000009
【図８】
2018073358.tif 000010
【図９】
2018073358.tif 000011
【図１０】
2018073358.tif 000012
【図１１】
2018073358.tif 000013